(57)【要約】ビニール袋（５０）用の保持デバイス（２０）は、側面パネル（５２）と、一組の対向する噛合閉鎖ストリップ（５６）から成る一端における再閉鎖可能シールと、閉鎖ストリップ（５６）を開閉するためのスライダ（５８）とを有する袋を利用する。この保持デバイス（２０）は、支持面を備え、それぞれがこの支持面に隣接した近位部（３３）と遠位部（３４）とを有し間にチャネル（３６）を画定する一組の長尺状保持部材（２３、２４）を備える。このチャネル（３６）は、スライダの一部を受容して収容するための第１部分（２５）と、閉鎖ストリップ（５６）のみを受容してスライダ（５８）は受容しない第２部分（２６）とを有する。このチャネル（３６）は、保持部材（２３、２４）の遠位部（３４）によって形成されるスロット（３０）をさらに有し、このスロット（３０）の幅は、ビニール袋（５０）の側面パネル（５２）をこのスロット（３０）に侵入させることができる一方で、閉鎖ストリップ（５６）がこのスロット（３０）を通過するのを防止することができる大きさである。
2005522288.tif 000002
【特許請求の範囲】
【請求項１】
側面パネルと、一端における再閉鎖可能シールと、該再閉鎖可能シールを開閉するためのスライダとを有するビニール袋用の保持デバイスであって、
支持面を備え、
それぞれが前記支持面に隣接した近位部と遠位部とを有し、チャネルを画定する、一組の長尺状保持部材を備え、
前記チャネルが、前記スライダを受容するための第１部分と、前記袋の一部を受容するための第２部分とを有すると共に、前記保持部材の前記遠位部によって形成されるスロットをさらに有し、該スロットの幅が、前記ビニール袋の前記側面パネルを該スロットに侵入させることができる一方で、前記袋の一部が該スロットを通過するのを防止することができる大きさである、
前記保持デバイス。
【請求項２】
前記袋の一部が閉鎖ストリップから成る、請求項１に記載の保持デバイス。
【請求項３】
前記袋の一部がレールから成る、請求項１に記載の保持デバイス。
【請求項４】
前記袋の一部がエンド・ストップから成る、請求項１に記載の保持デバイス。
【請求項５】
前記第１部分が、前記スライダを干渉する部分を有する、請求項１に記載の保持デバイス。
【請求項６】
前記第１部分が、前記スライダが入れられる凹部を含む、請求項１に記載の保持デバイス。
【請求項７】
前記凹部が、前記スライダが前記凹部から引き抜かれるのを干渉する直立型の維持部材によって画定される、請求項１に記載の保持デバイス。
【請求項８】
前記保持部材の少なくとも１つが、前記袋の一部を干渉する部分を含む、請求項１に記載の保持デバイス。
【請求項９】
前記保持部材のそれぞれが、前記袋の一部を干渉する部分を含む、請求項１に記載の保持デバイス。
【請求項１０】
前記保持部材がその対向する端部に、前記スライダを受容するための凹部を含む、請求項１に記載の保持デバイス。
【請求項１１】
前記第１部分が、前記支持面から前記保持部材の前記遠位部へ向けて延出し、且つ該第１部分を部分的に遮る、傾斜部をさらに含む、請求項１に記載の保持デバイス。
【請求項１２】
前記支持面が第１平面を画定し、前記スロット及び前記チャネルが該第１平面に垂直な第２平面を画定する、請求項１に記載の保持デバイス。
【請求項１３】
前記支持面が第１平面を画定し、前記スロット及び前記チャネルが該第１平面に平行な第２平面を画定する、請求項１に記載の保持デバイス。
【請求項１４】
前記支持面が第１部分及び第２部分をさらに備え、該第１部分が第１端部及び第２端部を有し、前記保持部材が該第１端部に近接し、前記第２部分が該第１端部から前記第１部分に垂直に延出する、請求項１に記載の保持デバイス。
【請求項１５】
前記スロットが線を画定する長さ範囲を有し、前記支持面が該線を横断する平面を画定する、請求項１に記載の保持デバイス。
【請求項１６】
側面パネルと、一組の対向する噛合閉鎖ストリップから成る一端における再閉鎖可能シールと、該閉鎖ストリップを開閉するためのスライダとを有するビニール袋用の保持デバイスであって、
支持面を備え、
それぞれが前記支持面に隣接した近位部と遠位部とを有し、チャネルを画定する、一組の長尺状保持部材を備え、
前記チャネルが、前記スライダの一部を受容して収容するための第１部分と、前記閉鎖ストリップのみを受容して前記スライダは受容しない第２部分とを有すると共に、さらに、前記保持部材の前記遠位部によって形成されるスロットと通じており、該スロットの幅が、前記ビニール袋の前記側面パネルを該スロットに侵入させることができる一方で、前記閉鎖ストリップが該スロットを通過するのを防止することができる大きさである、
前記保持デバイス。
【請求項１７】
前記チャネルの両端部に前記第１部分がある、請求項１６に記載の保持デバイス。
【請求項１８】
前記チャネルの一方の端部にのみ前記第１部分がある、請求項１６に記載の保持デバイス。
【請求項１９】
前記第１部分が少なくとも１つの維持部材を含む、請求項１６に記載の保持デバイス。
【請求項２０】
前記第１部分が維持部材を含まない、請求項１６に記載の保持デバイス。
【請求項２１】
前記第１部分の長さが、前記スライダの長さよりも短い、請求項１６に記載の保持デバイス。
【請求項２２】
前記支持面が、前記保持デバイスを支持するための手段を含む、請求項１６に記載の保持デバイス。
【請求項２３】
前記支持手段が、前記支持面の前記保持部材とは反対側の側面に付着された粘着ストリップである、請求項２２に記載の保持デバイス。
【請求項２４】
前記支持手段がクリップである、請求項２２に記載の保持デバイス。
【請求項２５】
前記支持面が周辺クリップを有する、請求項１６に記載の保持デバイス。
【請求項２６】
前記クリップが、ラックの２つの平行なロッドと嵌合するように離間されている、請求項２５に記載の保持デバイス。
【請求項２７】
前記チャネルの前記第１部分が、少なくとも１つの開放側部を有する、請求項１６に記載の保持デバイス。
【請求項２８】
干渉部材が、前記チャネルの前記第１部分と前記第２部分との間に設けられる、請求項１６に記載の保持デバイス。
【請求項２９】
側面パネルと、一端における再閉鎖可能シールと、該再閉鎖可能シールを開閉するためのスライダとを有するビニール袋用の保持デバイスであって、
支持面を備え、
それぞれが遠位部を有し、チャネルを画定し、少なくとも１つが前記支持面に隣接して設けられる、一組の長尺状保持部材を備え、
前記チャネルが第１部分及び第２部分を含み、該第１部分が前記スライダの少なくとも一部を受容する大きさであると共に該第２部分よりも幅が広く、また、前記チャネルが前記保持部材の前記遠位部によって画定されるスロットをさらに含み、該スロットの幅が前記チャネルの前記第２部分の幅よりも狭い、
前記保持デバイス。
【請求項３０】
前記チャネルの両端部に前記第１部分がある、請求項２９に記載の保持デバイス。
【請求項３１】
前記チャネルの一方の端部にのみ前記第１部分がある、請求項２９に記載の保持デバイス。
【請求項３２】
前記第１部分が少なくとも１つの維持部材を含む、請求項２９に記載の保持デバイス。
【請求項３３】
前記第１部分が維持部材を含まない、請求項２９に記載の保持デバイス。
【請求項３４】
前記第１部分の長さが、前記スライダの長さよりも短い、請求項２９に記載の保持デバイス。
【請求項３５】
前記支持面が、前記保持デバイスを支持するための手段を含む、請求項２９に記載の保持デバイス。
【請求項３６】
前記支持手段が、前記支持面の前記第１及び第２保持部材とは反対側の側面に付着された粘着ストリップである、請求項３５に記載の保持デバイス。
【請求項３７】
前記支持手段がクリップである、請求項３５に記載の保持デバイス。
【請求項３８】
前記支持面が周辺クリップを有する、請求項２９に記載の保持デバイス。
【請求項３９】
前記クリップが、ラックの２つの平行なロッドと嵌合するように離間されている、請求項３９に記載の保持デバイス。
【請求項４０】
前記チャネルの前記第１部分が、少なくとも１つの開放側部を有する、請求項２９に記載の保持デバイス。
【請求項４１】
干渉部材が、前記チャネルの前記第１部分と前記第２部分との間に設けられる、請求項２９に記載の保持デバイス。
【請求項４２】
前記保持部材の両方が前記支持面に隣接して位置する、請求項２９に記載の保持デバイス。
【請求項４３】
前記保持部材の一方のみが前記支持面に隣接して位置し、前記保持デバイスが前記保持部材を結合する架橋部をさらに含む、請求項２９に記載の保持デバイス。
【請求項４４】
スライダ付き袋が密閉可能端部を含み、該密閉可能端部には該密閉可能端部を密閉するために閉鎖ストリップが設けられており、また、前記スライダ付き袋が該閉鎖ストリップを閉鎖するためのスライダをさらに含み、該スライダの幅が前記閉鎖ストリップの幅よりも広い、再閉鎖可能なスライダ付きビニール袋用の保持デバイスであって、
支持面を備え、
実質的に互いに平行であり、前記支持面に一体式に取り付けられると共に、長さ及び２つの端部を有するチャネルを画定する、一組の長尺状保持部材を備え、前記チャネルが、該保持部材間に前記チャネルの前記長さにわたる開放スロットを有して各端部において開放しており、該スロットが、前記チャネルよりも狭く、
前記スライダ付きビニール袋の前記スライダを止める一方で、前記閉鎖ストリップを通過させるために、前記チャネルに近接して設けられた干渉部材を備える、
前記保持デバイス。
【請求項４５】
前記干渉部材が、前記スライダ付き袋の前記閉鎖ストリップよりも広く、且つ前記スライダ付き袋の前記スライダよりも狭い、開口部を画定する、請求項４４に記載の保持デバイス。
【請求項４６】
前記干渉部材が、前記スライダの進行を妨げる一方で前記閉鎖ストリップの進行を許容することのできる距離だけ、前記チャネル内部に延出する、少なくとも１つの突起から成る、請求項４４に記載の保持デバイス。
【請求項４７】
物を収容する方法であって、
閉鎖ストリップと該閉鎖ストリップ上をスライド移動するように取り付けられたスライダとを含む保存用袋に物を入れるステップと、
前記袋の第１部分における第１厚さよりも幅が広いチャネルであって、前記第１厚さよりも幅が狭い一方で前記袋の第２部分における第２厚さよりも幅が広いスロットを含むチャネルを画定すると共に、支持面によって支持された、保持部材を供給するステップと、
前記スライダが前記保持部材に接触して前記保持部材によって閉鎖位置へ動かされるように、且つ前記保存用袋の前記第１部分が前記保持部材と干渉関係になるように、前記保存用袋の前記第１部分を前記チャネル内にスライドさせるステップと、
を含む、前記方法。
【請求項４８】
前記スライドさせるステップが、前記スライダを前記保持部材の凹部に挿入するステップを含む、請求項４７に記載の方法。
【請求項４９】
前記凹部が、前記スライダが前記凹部に最初に挿入されるときに前記スライダを受容する第１凹部と、該第１凹部の下方に設けられ、前記スライダが前記凹部に最初に挿入された後に前記スライダを受容する第２凹部とを含む、請求項４８に記載の方法。
【請求項５０】
前記凹部の前記第２凹部が、前記スライダが前記凹部の前記第２凹部に位置しているときに前記スライダが前記凹部から外れるのを妨げるロック部材に隣接して設けられる、請求項４９に記載の方法。
【請求項５１】
前記支持面が水平面から成る、請求項４８に記載の方法。
【請求項５２】
前記支持面が垂直面から成る、請求項４８に記載の方法。
【請求項５３】
前記保持部材を前記支持面に固定するさらなるステップを含む、請求項４８に記載の方法。
【請求項５４】
前記固定するステップが、前記保持部材を前記支持面に付着させるステップから成る、請求項５３に記載の方法。
【請求項５５】
前記固定するステップが、前記保持部材を前記支持面に留めるステップから成る、請求項５３に記載の方法。
【請求項５６】
前記支持面がワイヤ・ラックから成る、請求項４８に記載の方法。
【請求項５７】
前記保持部材を前記ワイヤ・ラックに固定するさらなるステップを含む、請求項５６に記載の方法。
【請求項５８】
前記保持部材が支持部材を含み、前記取り付け部材を固定するステップが前記ワイヤ・ラックの一部を前記支持部材と嵌合するステップから成る、請求項５７に記載の方法。
【請求項５９】
前記支持面が棚の面から成る、請求項４８に記載の方法。
【請求項６０】
前記袋の前記第１部分が前記チャネル内にスライドされるとき、前記閉鎖ストリップが水平方向に配置される、請求項４８に記載の方法。
【請求項６１】
前記袋の前記第１部分が前記チャネル内にスライドされるとき、前記閉鎖ストリップが垂直方向に配置される、請求項４８に記載の方法。
【請求項６２】
前記袋の前記第１部分が前記チャネル内にスライドされるとき、前記閉鎖ストリップが垂直方向及び水平方向以外の方向に配置される、請求項４８に記載の方法。
【請求項６３】
前記最初の保存用袋と実質的に同一であるさらなる保存用袋にさらなる物を入れるステップと、前記最初の保持部材と実質的に同一であり且つ前記最初の保持部材に隣接したさらなる保持部材を供給するステップと、前記さらなる保存用袋のスライダが前記保持部材に接触して前記保持部材によって閉鎖位置へ動かされるように、且つ前記さらなる保存用袋の第１部分が前記さらなる保持部材と干渉関係になるように、前記さらなる保存用袋の前記第１部分を前記さらなる保持部材のチャネル内にスライドさせるステップとをさらに含む、請求項４８に記載の方法。
【請求項６４】
前記最初の保存用袋が、前記さらなる保存用袋の上に重ね合わせ関係で配置される、請求項６３に記載の方法。
【請求項６５】
前記最初の保存用袋が、前記さらなる保存用袋の隣に並列関係で配置される、請求項６３に記載の方法。
【請求項６６】
側面パネルと、一組の対向する噛合閉鎖ストリップから成る一端における再閉鎖可能シールと、該閉鎖ストリップを開閉するためのスライダと、突出型エンド・ストップとを有するビニール袋用の保持デバイスであって、
支持面を備え、
それぞれが前記支持面に隣接した近位部と遠位部とを有し、チャネルを画定する、一組の長尺状保持部材を備え、前記チャネルが、前記スライダの一部を受容して収容するための第１部分を有すると共に、前記保持部材の前記遠位部によって形成されるスロットをさらに有し、該スロットの幅が、前記ビニール袋の前記閉鎖ストリップを該スロットに侵入させることができる一方で、前記エンド・ストップが該スロットを通過するのを防止することができる大きさである、
前記保持デバイス。
【請求項６７】
前記保持部材の少なくとも１つが、前記エンド・ストップを干渉する部分を含む、請求項６６に記載の保持デバイス。
【請求項６８】
前記保持部材のそれぞれが、前記エンド・ストップを干渉する部分を含む、請求項６６に記載の保持デバイス。
【請求項６９】
側面パネルと、一組の対向する噛合閉鎖ストリップから成る一端における再閉鎖可能シールと、該閉鎖ストリップを開閉するためのスライダとを有するビニール袋用の保持デバイスであって、
支持面を備え、
それぞれが前記支持面に隣接した近位部と遠位部とを有し、チャネルを画定する、一組の長尺状保持部材を備え、前記チャネルが、前記スライダの一部を受容して収容するための第１部分を有すると共に、前記保持部材の前記遠位部によって形成されるスロットをさらに有し、該スロットの幅が、前記ビニール袋の前記閉鎖ストリップを該スロットに侵入させることができる一方で、前記スライダが該スロットを通過するのを防止することができる大きさである、
前記保持デバイス。
【請求項７０】
前記保持部材の少なくとも１つが、前記スライダを干渉する部分を含む、請求項６９に記載の保持デバイス。
【請求項７１】
前記保持部材のそれぞれが、前記スライダを干渉する部分を含む、請求項６９に記載の保持デバイス。
【請求項７２】
閉鎖ストリップと、該閉鎖ストリップの一端におけるエンド・ストップと、前記閉鎖ストリップ上に位置するスライダと、前記閉鎖ストリップ上に前記スライダを維持するレールとを含む、保存用ビニール袋を支持する方法であって、
支持部材と、該支持部材に結合されると共に間にチャネルを画定し少なくとも１つが干渉部を含む一組の壁部とを有する、ホルダを供給するステップと、
前記スライダが前記ホルダの一部に接触して最初の位置から移動するように、前記袋を前記チャネルに挿入するステップと、
前記閉鎖ストリップ、前記レール、前記エンド・ストップ、及び前記スライダのうちの少なくとも１つが前記干渉部を干渉して前記袋を前記ホルダに支持するように、前記袋を手放すステップと、
を含む、前記方法。
【請求項７３】
前記閉鎖ストリップがレールを含み、前記手放すステップが該レールを前記干渉部に載せるステップを含む、請求項７２に記載の方法。
【請求項７４】
前記手放すステップが、前記エンド・ストップを前記干渉部に載せるステップを含む、請求項７２に記載の方法。
【請求項７５】
前記手放すステップが、前記スライダを前記干渉部に載せるステップを含む、請求項７２に記載の方法。
【請求項７６】
前記干渉部が、前記壁部の少なくとも一方によって保持された少なくとも１つの部材から成る、請求項７２に記載の方法。
【請求項７７】
前記壁部が、前記スライダを受容するための凹部を画定する部分を含む、請求項７６に記載の方法。
【請求項７８】
前記壁部のそれぞれが干渉部を保持する、請求項７６に記載の方法。
【請求項７９】
閉鎖ストリップと、該閉鎖ストリップ上に位置する該閉鎖ストリップを開閉するためのスライダとを含む、ビニール袋を支持する方法であって、
支持部材と、該支持部材に結合されると共に間にチャネルを画定する一組の壁部とを有する、ホルダを供給するステップと、
前記スライダが前記チャネルに受容されて袋が前記ホルダによって支持されるように、再閉鎖可能なビニール袋を前記ホルダに挿入するステップと、
前記袋を前記スライダと相対的に移動させることによって、前記スライダが実質的な静止位置に維持されると共に前記閉鎖ストリップが前記スライダを通過するように、前記袋に力を及ぼすステップと、
を含む、前記方法。
【請求項８０】
前記力を及ぼすステップによって前記袋が開放する、請求項７９に記載の方法。
【請求項８１】
前記力を及ぼすステップによって前記袋が閉鎖する、請求項７９に記載の方法。
【請求項８２】
前記ビニール袋が、イージー・ジッパの付いたジップロック（登録商標）の袋、ヘフティ・ワンジップ（登録商標）の袋、グラッド（登録商標）・クリックロックの袋、プレスト（登録商標）・シュアシールの袋、及び、プライアント社によって製造された袋から構成される群から選択されるスライダタイプの袋から成る、請求項７９に記載の方法。
【請求項８３】
ビニール袋のスライダを移動させる方法であって、
前記スライダを保持デバイスと接触させるステップと、
前記ビニール袋に対し第１の力を第１方向に加えるステップと、
前記ビニール袋が前記保持デバイス及び前記スライダと相対的に移動するように、前記保持デバイスに対し第２の力を第２方向に加えるステップと、
を含む、前記方法。
【請求項８４】
前記第１の力が、ユーザの手によって加えられる、請求項８３に記載の方法。
【請求項８５】
前記保持デバイスが、ある面に支持手段によって取り付けられる、請求項８４に記載の方法。
【請求項８６】
前記支持手段が粘着ストリップから成る、請求項８５に記載の方法。
【請求項８７】
前記支持手段がねじから成る、請求項８５に記載の方法。
【請求項８８】
前記第２の力が、ユーザの手によって加えられる、請求項８３に記載の方法。
【請求項８９】
ビニール袋のスライダを移動させる方法であって、
前記スライダを保持デバイスと接触させるステップと、
前記保持デバイスを固着させるステップと、
前記袋をつかむステップと、
前記つかんだ袋を前記保持デバイス及び前記スライダと相対的に移動させるステップと、
を含む、前記方法。
【請求項９０】
前記スライダが開放位置へ移動される、請求項８９に記載の方法。
【請求項９１】
前記スライダが閉鎖位置へ移動される、請求項８９に記載の方法。
【請求項９２】
前記固着させるステップが、前記保持デバイスをある面に支持手段によって取り付けることにより行われる、請求項８９に記載の方法。
【請求項９３】
前記支持手段が粘着ストリップから成る、請求項９２に記載の方法。
【請求項９４】
前記支持手段がねじから成る、請求項９２に記載の方法。
【請求項９５】
前記移動させるステップが、ユーザの手によって加えられる力により行われる、請求項９２に記載の方法。
【請求項９６】
前記固着させるステップが、ユーザの手によって加えられる力により行われる、請求項８９に記載の方法。
【発明の詳細な説明】
【技術分野】
【０００１】
本発明は、再閉鎖可能なスライダ付きビニール袋(reclosable thermoplastic slider bags)に関し、より詳細には、再閉鎖可能なスライダ付きビニール袋を保持する方法及びデバイスに関する。
【背景技術】
【０００２】
物を収容するのにビニール袋(thermoplastic bags)を用いることは、よく知られている。このような袋は、食品から、工芸品から子供の玩具まであらゆる物を含む家庭雑貨に至るまで、様々な物を収容するのに用いられる。一般的に、このような袋は、一体型の再密閉装置が付いているか付いていないかで特徴付けることができる。一体型再密閉装置の付いていない袋は、袋を密閉するのに、捻り留めワイヤ(wire twist-tie)のような別個の密閉部材を一般的に必要とする。この別個の密閉部材は、紛失したり、ユーザが容易に入手できないことが多いため、時には、単に袋を折り曲げたり、袋の両壁面を１つに結んだりする。前者の場合には、袋は通常きちんと密閉されず、後者の場合には、後で袋の結び目をほどくことが実際問題として厄介又は不可能となり得る。一体型再密閉装置の付いている袋は、これらの問題を克服するが、特に、ユーザが閉鎖ストリップ(closure strips)をつまんで、指を滑らしながら、親指で力を加える必要のある袋の場合、他の欠点があり得る。具体的には、ユーザは、このような袋を密閉するとき、袋が完全に閉鎖されたかどうかをすぐに判断できないことがある。
【０００３】
スライダ付き袋が開発されてきたことにより、ユーザは、一体型再密閉装置付き保存用ビニール袋をより容易に閉鎖することができる。このような袋には、閉鎖ストリップ上を移動するようにスライダが取り付けられており、このスライダは、スライダが第１位置へ向けて移動されると袋を閉鎖し、スライダが第２位置へ向けて移動されると袋を開放する部材を含む。このような構造により、ユーザは、袋の開閉状況を容易に判断することができる。
【０００４】
袋のタイプに関わらず、密閉されていない袋は、慎重に置いたり扱わない限り、袋の中身がすぐにこぼれてしまう。また、このような袋の中には、多数の異なるタイプや形状の物が収容されることが多く、袋は、不規則な且つ／又は異なる形状となる。このような袋が、食器棚、キャビネット、引き出し、棚、冷蔵庫などのような限られた空間に、複数一緒に置かれると、散乱状態が生じる可能性があり、ユーザは、特定の袋を容易に置けなくなってしまう。さらに、ユーザが特定の袋を置こうとすると、置いてあった袋が押しのけられて、それらのうちの１つ以上が支持面から床に落ちてしまい、その袋及び／又はその中に収容されていた物が壊れたり中身がこぼれることがある。また、これらの袋は、通常、互いの上に重ねられて、空間が非効率的に使われることとなる。さらに、これらの袋は、限られていない場所で互いの上に積み重ねられると、積み重ね状態から崩れ落ちて散乱状態となりやすい。また、互いの上に積み重ねられると、下の袋の中身が隠れがちになるため、袋の中の物を識別しやすいように透明なプラスチックを用いた利点が損なわれてしまう。
【０００５】
１つ以上の保存用袋をそれぞれその開放端部から吊り下げるラック・システムを用いることによって、上記問題を解決しようとする試みがなされてきた。このラック・システムにより、各袋の残りを、袋の中身に関係なく、ラック下方に自由に吊り下げることができる。
【０００６】
レムケ(Lemke)による米国特許第５，４６７，９４９号には、食品袋用のクランプ・ハンガーが開示されている。このハンガーは、袋の一端が開放していて一体型閉鎖デバイスが付いていない、例えばポテトチップの袋のような菓子袋と共に用いられる。このクランプ・ハンガーは、菓子袋の両壁面を合わせた厚さよりも幅の狭いスリットを画定するクランプ部材を含む。ユーザが袋の開放端部をこのスリット内にスライドさせると、袋は擦られるようにしてこのスリット内に維持される。
【０００７】
ノセック(Nocek)らによる米国特許第４，７８７，５２２号には、袋収容デバイスが開示されている。このデバイスは、噛合プロファイルが袋の両側面パネルを合わせた厚さよりも厚い、スライダタイプでない再閉鎖可能な袋と共に用いるように設計されている。この収容デバイスは、噛合プロファイルの厚さよりは幅が狭いが、袋の両側面パネルを合わせた厚さを支障なく受容できる程度に幅が広い、スロットを画定する部材を備える。さらに、このスロットの長さは、袋の長さとほぼ同じである。プロファイルがスロットの上方に位置するように袋をスロット内に挿入すると、プロファイルはこの部材のスロットを形成する部分と係合して袋を支持する。
【０００８】
同様に、バッリョ(Baglio)による米国特許第４，８５４，５３０号には、複数組の離間したレール若しくはフィンガーを有する保持デバイスを含む、スライダタイプでない再閉鎖可能な袋用のハンガー・システムが開示されている。各組のレール若しくはフィンガーは、袋の噛合プロファイルの厚さよりは幅が狭いが、袋の両側面パネルを合わせた厚さよりも幅が広い、スロットを画定するように互いに離間されている。いくつかの袋をそれぞれ、袋のプロファイルがスロットの上方に位置するように、対応するスロット内にスライドさせることによって、プロファイルがレール若しくはフィンガーと接触し、これにより支持され得る。このようにして、１つの袋を支持してもよいし、複数の袋を支持してもよい。
【０００９】
ジョンソン(Johnson)による米国特許第５，９６０，９５７号には、スライダタイプでない再閉鎖可能な袋用の収容システムが開示されている。この特許文献は、噛合プロファイルが袋の両側面パネルを合わせた厚さよりも厚い再閉鎖可能なビニール袋と共に用いるための、様々なラック・システムを開示している。この特許文献に開示されたラック収容システムは全て、噛合プロファイルの厚さよりは幅が狭いが、袋の両側面パネルを合わせた厚さよりも幅が広い、スロットを用いている。ここに開示されたラック・システムは、円筒型、垂直型、及び水平型のシステムを含み、全てが複数の袋を保持するための複数のスロットを含む。
【特許文献１】米国特許第５，４６７，９４９号明細書
【特許文献２】米国特許第４，７８７，５２２号明細書
【特許文献３】米国特許第４，８５４，５３０号明細書
【特許文献４】米国特許第５，９６０，９５７号明細書
【発明の開示】
【課題を解決するための手段】
【００１０】
本発明の一態様によれば、側面パネルと、一端における再閉鎖可能シールと、該再閉鎖可能シールを開閉するためのスライダとを有するビニール袋用の保持デバイスは、支持面を備えると共に、それぞれが前記支持面に隣接した近位部と遠位部とを有し、チャネルを画定する、一組の長尺状保持部材を備える。前記チャネルは、前記スライダを受容するための第１部分と、前記袋の一部を受容するための第２部分とを有する。前記チャネルは、前記保持部材の前記遠位部によって形成されるスロットをさらに含み、該スロットの幅は、前記ビニール袋の前記側面パネルを該スロットに侵入させることができる一方で、前記袋の一部が該スロットを通過するのを防止することができる大きさである。
【００１１】
本発明の別の態様によれば、ビニール袋用の保持デバイスは、支持面を備えると共に、それぞれが前記支持面に隣接した近位部と遠位部とを有し、チャネルを画定する、一組の長尺状保持部材を備える。前記チャネルは、前記ビニール袋のスライダの一部を受容して収容するための第１部分と、前記ビニール袋の閉鎖ストリップのみを受容して前記スライダは受容しない第２部分とを有する。前記チャネルは、前記保持部材の前記遠位部によって形成されるスロットと通じており、該スロットの幅は、前記ビニール袋の側面パネルを該スロットに侵入させることができる一方で、前記閉鎖ストリップが該スロットを通過するのを防止することができる大きさである。
【００１２】
本発明のさらなる態様によれば、保持デバイスは、支持面を備えると共に、それぞれが遠位部を有し、チャネルを画定する、一組の長尺状保持部材を備える。前記保持部材の少なくとも１つは、前記支持面に隣接して設けられる。前記チャネルは、第１部分及び第２部分を含み、該第１部分は、ビニール袋のスライダの少なくとも一部を受容する大きさであると共に、該第２部分よりも幅が広い。前記チャネルは、前記保持部材の前記遠位部によって画定されるスロットをさらに含み、該スロットの幅は、前記チャネルの前記第２部分の幅よりも狭い。
【００１３】
本発明のさらに別の態様によれば、再閉鎖可能なスライダ付きビニール袋用の保持デバイスは、支持面を含むと共に、実質的に互いに平行であり、前記支持面に一体式に取り付けられた、一組の長尺状保持部材を含む。該保持部材は、長さ及び２つの端部を有するチャネルを画定し、該チャネルは、前記保持部材間に該チャネルの前記長さにわたる開放スロットを有して各端部において開放しており、該スロットは、前記チャネルよりも狭い。干渉部材は、前記スライダ付きビニール袋のスライダを止める一方で、前記袋の閉鎖ストリップを通過させるために、前記チャネルに近接して設けられる。
【００１４】
本発明のさらなる態様によれば、物を収容する方法は、閉鎖ストリップと該閉鎖ストリップ上をスライド移動するように取り付けられたスライダとを含む保存用袋に物を入れるステップと、チャネルを画定すると共に支持面によって支持された保持部材を供給するステップとを含む。前記チャネルは、前記袋の第１部分における第１厚さよりも幅が広く、さらに、前記第１厚さよりも幅が狭い一方で前記袋の第２部分における第２厚さよりも幅が広いスロットを含む。前記方法は、前記スライダが前記保持部材に接触して前記保持部材によって閉鎖位置へ動かされるように、且つ前記保存用袋の前記第１部分が前記保持部材と干渉関係になるように、前記保存用袋の前記第１部分を前記チャネル内にスライドさせるステップをさらに含む。
【００１５】
本発明のさらなる態様によれば、ビニール袋用の保持デバイスは、支持面を備えると共に、それぞれが前記支持面に隣接した近位部と遠位部とを有し、チャネルを画定する、一組の長尺状保持部材を備える。前記チャネルは、スライダの一部を受容して収容するための第１部分を有すると共に、前記保持部材の前記遠位部によって形成されるスロットを有し、該スロットの幅は、前記ビニール袋の閉鎖ストリップを該スロットに侵入させることができる一方で、エンド・ストップが該スロットを通過するのを防止することができる大きさである。
【００１６】
本発明のさらに別の態様によれば、側面パネルと、一組の対向する噛合閉鎖ストリップから成る一端における再閉鎖可能シールと、該閉鎖ストリップを開閉するためのスライダとを有するビニール袋用の保持デバイスは、支持面を備えると共に、それぞれが前記支持面に隣接した近位部と遠位部とを有する、一組の長尺状保持部材を備える。該保持部材は、前記スライダの一部を受容して収容するための第１部分を有すると共に、該保持部材の前記遠位部によって形成されるスロットを有する、チャネルを画定する。前記スロットの幅は、前記ビニール袋の前記閉鎖ストリップを前記スロットに侵入させることができる一方で、前記スライダが前記スロットを通過するのを防止することができる大きさである。
【００１７】
本発明のさらなる態様は、閉鎖ストリップと、該閉鎖ストリップの一端におけるエンド・ストップと、前記閉鎖ストリップ上に位置するスライダと、前記閉鎖ストリップ上に前記スライダを維持するレールとを含む、保存用ビニール袋を支持する方法から成る。この方法は、支持部材と、該支持部材に結合されると共に間にチャネルを画定し少なくとも１つが干渉部を含む一組の壁部とを有する、ホルダを供給するステップと、前記スライダが前記ホルダの一部に接触して最初の位置から移動するように、前記袋を前記チャネルに挿入するステップと、前記閉鎖ストリップ、前記レール、前記エンド・ストップ、及び前記スライダのうちの少なくとも１つが前記干渉部を干渉して前記袋を前記ホルダに支持するように、前記袋を手放すステップとを含む。
【００１８】
本発明のさらに別の態様によれば、ビニール袋を支持する方法は、支持部材と、該支持部材に結合されると共に間にチャネルを画定する一組の壁部とを有する、ホルダを供給するステップと、袋のスライダが前記チャネルに受容されて袋が前記ホルダによって支持されるように、再閉鎖可能なビニール袋を前記ホルダに挿入するステップと、前記袋を前記スライダと相対的に移動させることによって、前記スライダが実質的な静止位置に維持されると共に閉鎖ストリップが前記スライダを通過するように、前記袋に力を及ぼすステップとを含む。
【００１９】
本発明のさらに別の態様によれば、ビニール袋のスライダを移動させる方法は、前記スライダを保持デバイスと接触させるステップと、前記ビニール袋に対し第１の力を第１方向に加えるステップと、前記ビニール袋が前記保持デバイス及び前記スライダと相対的に移動するように、前記保持デバイスに対し第２の力を第２方向に加えるステップとを含む。
【００２０】
本発明のさらなる態様によれば、ビニール袋のスライダを移動させる方法は、前記スライダを保持デバイスと接触させるステップと、前記保持デバイスを固着させるステップと、前記袋をつかむステップと、前記つかんだ袋を前記保持デバイス及び前記スライダと相対的に移動させるステップとを含む。
【００２１】
本発明のその他の態様及び利点は、以下の詳細な説明を考察すれば、明らかになるであろう。
【発明を実施するための最良の形態】
【００２２】
以下の説明において、百の位のみが異なる参照番号は、様々な実施形態における同様の構造若しくは要素を示している。
【００２３】
ここで図１〜図４を参照すると、保持デバイス２０は、第１側面２２を有する支持部材２１を含む。この保持デバイス２０は、図９に見られるような再閉鎖可能なスライダ付きビニール袋５０と共に用いられるものである。このスライダ付き袋５０は、底部で１つになる壁面若しくは側面パネル５２から構成され、側方シールが、１つの開放可能端部５４を有する袋を画定している。この開放可能端部５４は、１組の閉鎖ストリップ５６を有しており、これらの閉鎖ストリップ５６は、ユーザがストリップ５６の一方の端部から他方の端部へスライダ５８をスライドさせることにより開放されると共に、前記一方の端部までスライダ５８をスライドさせて戻すことにより再閉鎖される。
【００２４】
向かい合う２つの細長い壁部若しくは保持部材２３及び２４が、支持部材２１の第１側面２２から延出している。これらの保持部材２３及び２４は、（必ずしもというわけではないが）互いの鏡像であるのが好ましく、それぞれが近位部３３、遠位部３４、及び２つの端部３５を有する。これらの保持部材２３及び２４は、それらの間にチャネル３６を画定している。
【００２５】
好適な実施形態では、これらの保持部材は、チャネル３６が、保持部材２３及び２４の各端部３５における第１部分２５と、これらの第１部分２５よりも幅が狭く且つこれらの第１部分２５の間に位置する第２部分２６とを含むように、成形されている。第１部分２５の寸法は、図３ａ及び図８に見られるように、スライダ付き袋に一般的に用いられるタイプのスライダ５８を、いずれかの第１部分２５に挿入することができるような大きさである。これらの第１部分２５と第２部分２６とは、ネック２７によって結合されており、これらのネック２７は、各第１部分２５から第２部分２６へ向けて幅を狭めている。各ネック２７は、保持部材２３及び２４の少なくとも１つの面４０によって画定されており、この面４０は、スライダが第２部分２６を通って進行するのを妨げるが、閉鎖ストリップが第２部分２６を通って進行するのを妨げない（以下、この面４０は、干渉部材の一部を形成するものとして考えてもよい）。任意で、壁部は、１つ以上の第１部分２５の遠位部において、１つ以上の凹部２９を画定する。この凹部２９は、スライダ付き袋５０の中に重い物が入れられた場合に、スライダ５８に及ぼされ得るあらゆる圧力を軽減又は除去するためのものである。好適な実施形態では、第１部分２５の長さは、スライダ５８をいずれかの第１部分２５内部に完全に入れることができるように、少なくともスライダ５８の長さと同じである。第２部分２６の幅は、スライダ付き袋５０の閉鎖ストリップ５６の幅よりも大きいのが好ましく、また、第２部分２６の寸法（高さ又は幅又はその両方）は、所望の干渉関係が得られるように、スライダ５８の相当する寸法よりも小さいのが好ましい。例えば、図示されている実施形態におけるスライダ５８の高さは、閉鎖ストリップ５６の高さよりもわずかに高いので、図示されている実施形態の第２部分２６の幅をスライダ５８の幅よりも狭く設計することによって、所望の干渉関係が得られる。しかしながら、別の実施形態では、この干渉部材は、図１２ｃ及び図１２ｄに示されているような様々な形態を用いることができる。図１〜図４では、壁部若しくは保持部材２３及び２４の外面と内面との両方の幅が狭められて示されているが、外面の形状は保持デバイスの機能には重要でなく、あらゆる所望の形態であってよい。
【００２６】
図１〜図４に示されているように、保持部材２３及び２４の各遠位部３４はさらに、チャネル３６と直接的に通じているスロット３０を画定している。このスロット３０は、チャネル３６の第２部分２６よりも狭いが、スライダ付き袋５０の両側面パネル５２を合わせた厚さよりも広い大きさとされている。また、このスロット３０の少なくとも一部は、閉鎖ストリップの一部、又は、市販されている一般的なスライダ付き袋のレール、リブ、及びエンド・ストップのような別の突出構造の一部の幅よりも狭いのが好ましい。本明細書中に開示した実施形態のいずれとも共に用いられ得る市販のスライダ付き袋の例としては、イージー・ジッパ(Easy Zipper)の付いたジップロック(Ziploc)（登録商標）（詳細は図９、図式的には図１７、図１７ｂ、及び図２３〜図２６に図示）、ヘフティ・ワンジップ(Hefty OneZip)（登録商標）（図３３、図３５、図４０、図４１、及び図４３に図示）、グラッド(Glad)（登録商標）・クリックロック(Clicklock)（図４４に図示）、プレスト(Presto)（登録商標）・シュアシール(SureSeal)（図４５に図示）、プライアント社(Pliant Corporation)によって製造されたスライダ付き袋（図４６に図示）、その他の企業によって製造されたスライダ付き袋が挙げられる。
【００２７】
ここで図３及び図４を参照すると、第１部分２５を画定している保持部材２３及び２４はそれぞれ、少なくとも１つの維持部材２８と、斜口３２を画定する傾斜面とをさらに含む。この斜口３２は、より広い領域をもたらして、ユーザがスライダ付き袋５０をスロット３０内にスライドさせやすくしている。各維持部材２８は、各遠位部３４から第１部分２５内部へ延出する突起から構成されるのが好ましい。維持部材２８の頂部と第１側面２２との間の距離は、スライダ５８の高さよりも大きい。
【００２８】
また、保持デバイス２０には、支持部材２１の第１側面２２と反対側の側面４２上に両面粘着テープ・ストリップ３８が設けられている。この粘着テープ・ストリップ３８により、保持デバイス２０を、垂直な壁に接着したり、棚（図示せず）のような水平面の下に接着することができ、これにより、保持デバイスのユーザは、中身を詰めたスライダ付き袋５０をこの保持デバイス２０によって吊り下げることができる。上述したように、その他特定の実施形態では、この粘着ストリップは、例えば保持部材２３又は２４の平面というような、保持デバイス２０のその他の面に設けてもよい。適切な粘着ストリップとしては、３Ｍ社(3M Corporation)から入手可能なリムーバブル・フォーム・テープ(Removable Foam Tape)４６５８Ｆ又は４４９２Ｗがある。
【００２９】
図１〜図４に示されているように、固定スロット３７は、保持デバイス２０をある面に取り付ける別の手段である。これらの固定スロット３７は、支持部材２１の各端部に含まれている。ユーザは、釘若しくはねじ（図１〜図４には示されていないが、図６の実施形態では参照番号３９で示されている）のシャンクを、これらの固定スロット３７を介して、保持デバイス２０が取り付けられる面に打ち込むことができる。或いは、シリコーン接着剤やエポキシ接着剤などのようなその他のタイプの接着剤、又はその他の固定デバイスを用いて、保持デバイス２０をある面に固定してもよい。
【００３０】
ここで図１及び図９を参照すると、ある面（図示せず）に保持デバイス２０が取り付けられた後、ユーザは、スライダ付き袋５０の、スライダ５８が位置している一方の端部を、第１部分２５の一方に挿入する。これは、スライダ５８が閉鎖ストリップ上の完全な開放位置に位置している状態で行われるのが一般的であるが、より一般的には、ユーザは、スライダが閉鎖ストリップ５６の先端部又は後端部（又はあらゆる中間位置）に位置している状態で、開放又は閉鎖状態のスライダ付き袋５０を保持デバイス２０に挿入することができる。図示されている実施形態では、開放状態のスライダ付き袋５０が凹部３２に挿入されると、スライダ５８は、同時に第１部分２５に挿入され、維持部材２８を越えて通過した後、ネック２７を画定する面４０に接触する。次に、ユーザは、保持デバイス２０下方にあるスライダ付き袋５０の側面パネル５２をつかみ、スライダ付き袋５０が挿入された側と反対側の保持デバイス２０の端部ヘ向けて、スライダ付き袋５０を押す、引く、若しくは移動させる。これにより、閉鎖ストリップ５６は、ネック２７を通って第２部分２６に入る。ネック２７はスライダ５８の幅よりも狭いので、スライダ５８はネック２７を越えて移動することができず、閉鎖ストリップ５６は、ユーザが側面パネル５２に及ぼした力に応じ、スライダ５８を通ってスライドすることにより閉鎖される。ユーザが保持デバイス２０を通して袋５０を移動させ続けると、スライダ５８は最終的に閉鎖ストリップ５６の後端部に到達し、スライダ付き袋５０が完全に閉鎖される。スロット３０の少なくとも一部は閉鎖ストリップ５６の厚さよりも幅が狭いので、閉鎖ストリップ５６の少なくとも一部はスロット３０を画定する面によって支持される。
【００３１】
保持デバイス２０よりも長いスライダ付き袋５０に関しては、閉鎖ストリップ５６に、保持デバイス２０によって支持されない部分がある。この場合、スロット３０と、閉鎖ストリップ５６のスロット３０と直接的に接触する部分との干渉接触は、スライダ付き袋５０を完全に支持できる程度でなくてはならない。いずれにしても、図８に見られるように、スライダ５８及び閉鎖ストリップ５６が保持部材２３及び２４の遠位部３４によって支持されると同時に、側面パネル５２がスロット３０を通して自由に吊り下げられる。同じく図８に示されているように、支持部材２１は第１平面６７にある。袋５０の壁面５２は、この第１平面６７に垂直な第２平面６９にある。
【００３２】
このスライダ付き袋５０を開放すると共に保持デバイス２０から取り外すには、ユーザは、スライダ付き袋５０のスライダ５８付近の側にある側面パネル５２をつかみ、スライダ付き袋５０を上記挿入方向と反対方向ヘ移動させる。すると、スライダ５８のネック部２７に位置する端部と反対側の端部が維持部材２８と接触し、このとき維持部材２８がスライダ５８の継続移動を妨げる。ユーザがさらに力を加えると、閉鎖ストリップ５６は、静止状態となったスライダ５８を通過して開放される。閉鎖ストリップ５６が完全に開放されてしまえば（ただし、袋の開放中のいつでもよいし、袋の開放開始前でもよい）、スライダ付き袋５０を持ち上げて、スライダ５８を維持部材２８との干渉接触から脱して移動させることにより、スライダ５８がいずれの位置にある状態でも、スライダ付き袋５０全体を保持デバイス２０から容易に取り外すことができるのが好ましい。
【００３３】
図１に示されているような両方向デバイスの利点は、ユーザがいずれの端部においてもスライダ付き袋５０を挿入することができると共に同じ機能性をもたらすことができる、という点である。
【００３４】
図５に示されているように、本発明のさらなる実施形態は、保持デバイス２０の一方の端部３５ａに１つの第１部分２５が設けられているという意味で単方向であり、これにより、ユーザは、この端部３５ａにおいてのみスライダ付き袋５０を挿入することができる。しかしながら、ユーザが開放状態のスライダ付き袋５０を第１部分２５と反対側の端部に挿入してもやはり、スライダ付き袋５０を閉鎖及び支持することができる。この場合、スライダ５８は、端部３５ａと反対側の端部３５ｂによって制止され、最終的に保持デバイス２０の完全に外側の場所に位置する。
【００３５】
図５Ａ〜図５Ｆは、図５に示されている実施形態に類似した、本発明による保持デバイス２０の別の実施形態を示している。この保持デバイス２０は、第１側面２２を有する支持部材２１を含む。向かい合う２つの細長い壁部若しくは保持部材２３及び２４が、支持部材２１の第１側面２２から延出している。これらの保持部材２３及び２４は、（必ずしもというわけではないが）互いの鏡像であるのが好ましく、それぞれが近位部３３、遠位部３４、並びに、２つの端部３５ａ及び３５ｂを有する。これらの保持部材２３及び２４は、それらの間にチャネル３６を画定している。
【００３６】
図示されているこの実施形態では、保持部材２３及び２４は、チャネル３６が、保持部材２３及び２４の端部３５ａにおける第１部分２５と、この第１部分２５よりも幅が狭く且つこの第１部分２５から端部３５ｂまで延びる第２部分２６とを含むように、成形されている。第１部分２５の寸法は、先の実施形態と同様に、スライダ５８を第１部分２５に挿入することができるような大きさである。これらの第１部分２５と第２部分２６とは、ネック２７によって結合されており、このネック２７は、第１部分２５から第２部分２６へ向けて幅を狭めている。ネック２７は、保持部材２３及び２４の少なくとも１つの面４０によって画定されており、この面４０は、スライダ５８が第２部分２６を通って進行するのを妨げるが、閉鎖ストリップが第２部分２６を通って進行するのを妨げない（以下、この面４０は、干渉部材の一部を形成するものとして考えてもよい）。任意で、壁部は、第１部分２５の遠位部において、１つ以上の凹部２９を画定する。上記実施形態と同様に、この凹部２９は、スライダ付き袋５０の中に重い物が入れられた場合に、スライダ５８に及ぼされ得るあらゆる圧力を軽減又は除去するためのものである。また、上記と同様に、第１部分２５の長さは、スライダ５８を第１部分２５内部に完全に入れることができるように、少なくともスライダ５８の長さと同じであるのが好ましい。先の実施形態に関して上述したように、第２部分２６の幅は、スライダ付き袋５０の閉鎖ストリップ５６の幅よりも大きいのが好ましく、また、第２部分２６の寸法（高さ又は幅又はその両方）は、所望の干渉関係が得られるように、スライダ５８の相当する寸法よりも小さいのが好ましい。例えば、図５ａ〜図５ｆの実施形態では、第２部分２６の幅をスライダ５８の幅よりも狭くすることによって、所望の干渉関係が得られる。
【００３７】
図５、図５ａ、及び図５ｄ〜図５ｆに見られるように、保持部材２３及び２４の各遠位部３４はさらに、チャネル３６と直接的に通じているスロット３０を画定している。このスロット３０は、チャネル３６の第２部分２６よりも狭いが、スライダ付き袋５０の両側面パネル５２を合わせた厚さよりも広い大きさとされている。また、このスロット３０の少なくとも一部は、閉鎖ストリップの一部、又は、市販されている一般的なスライダ付き袋のレール、リブ、及びエンド・ストップのような別の突出構造の一部の幅よりも狭いのが好ましい。
【００３８】
次に、図５ａ、図５ｄ、及び図５ｅを参照すると、第１部分２５を画定している保持部材２３及び２４はそれぞれ、少なくとも１つのプラットフォーム６２をさらに含む。斜口３２は、より広い領域をもたらして、ユーザがスライダ付き袋５０をスロット３０内にスライドさせやすくしている。各プラットフォーム６２は、各遠位部３４から第１部分２５内部へ延出する突起から構成されるのが好ましい。このプラットフォーム６２の頂部と第１側面２２との間の距離は、スライダ５８の高さよりも大きい。図５ａに見られるように、各プラットフォーム６２は維持部材２８を含む。
【００３９】
次に、図５ｃ、図５ｄ、図５ｅ、及び図５ｇを参照すると、保持デバイス２０にはさらに、チャネル３６の第１部分２５に傾斜部４５が設けられている。この傾斜部４５は、支持部材２１から第１部分２５内部に延出しており、部分的に第１部分２５を遮っている。この傾斜部は、第１部分２５における一地点から、第２部分２６により近い地点（ここで傾斜部４５は終端となる）へ向けて傾斜している。従って、この傾斜部４５は、スライダ付き袋５０が挿入されると、このスライダ付き袋５０の挿入端部を、保持部材２３及び２４の遠位端部３４へ向けて誘導する。
【００４０】
保持デバイス２０は、本明細書中に開示した実施形態のいずれかに関して説明したように、どのような面に取り付けてもよい。例えば、両面粘着テープ・ストリップ３８を、支持部材２１の第１側面２２と反対側の側面４２上に設けてもよい。この粘着テープ・ストリップ３８により、保持デバイス２０を、垂直な壁に接着したり、棚（図示せず）のような水平面の下に接着することができ、これにより、保持デバイスのユーザは、中身を詰めたスライダ付き袋５０をこの保持デバイス２０によって吊り下げることができる。前述したように、この粘着ストリップとしては、３Ｍ社から入手可能なリムーバブル・フォーム・テープ４４９２Ｗが挙げられる。
【００４１】
図５ａ〜図５ｄに示されているように、固定穴６４は、保持デバイス２０をある面に取り付ける別の手段である。これらの固定穴６４は、支持部材２１の各端部に含まれている。ユーザは、釘若しくはねじ（図５ａ〜図５ｄには図示せず）のシャンクを、これらの固定穴６４を介して、保持デバイス２０が取り付けられる面に打ち込むことができる。或いは、上述したように、シリコーン接着剤やエポキシ接着剤などのようなその他のタイプの接着剤、又はその他の固定デバイスを用いて、保持デバイス６４をある面に固定してもよい。
【００４２】
支持部材２１は、下向き周縁フランジ６６ａ及び６６ｂを含む。これらの下向き周縁フランジ６６ａ及び６６ｂは、図１６の実施形態に関して以下に説明する方式で保持デバイス２０を支持するのに用いられ得る、側方保持器若しくはクリップ６８ａ及び６８ｂを形成している。
【００４３】
ある面に保持デバイス２０が取り付けられると、ユーザは、スライダ付き袋５０の、スライダ５８が位置している一方の端部を、第１部分２５に挿入する。これは、スライダ５８が閉鎖ストリップ上の完全な開放位置に位置している状態で行われるのが一般的であるが、より一般的には、ユーザは、スライダが閉鎖ストリップ５６の先端部又は後端部（又はあらゆる中間位置）に位置している状態で、開放又は閉鎖状態のスライダ付き袋５０を保持デバイス２０に挿入することができる。図５ａ〜図５ｆに示されている実施形態では、開放状態のスライダ付き袋５０が凹部３２に挿入されると、スライダ５８は、同時に第１部分２５に挿入され、プラットフォーム６２を越えて通過した後、ネック２７を画定する面４０に接触する。或いは、開放状態のスライダ付き袋が第１部分２５に挿入されると、このスライダ付き袋５０の保持デバイス２０に挿入された端部が、傾斜部４５に接触し、保持部材２３及び２４の遠位端部３４へ向けて誘導される。次に、スライダが、ネック２７を画定している面４０に接触する。
【００４４】
次に、ユーザは、保持デバイス２０下方にあるスライダ付き袋５０の側面パネル５２をつかみ、スライダ付き袋５０が挿入された側と反対側の保持デバイス２０の端部ヘ向けて、スライダ付き袋５０を押す、引く、若しくは移動させる。これにより、閉鎖ストリップ５６は、ネック２７を通って第２部分２６に入る。ネック２７はスライダ５８の幅よりも狭いので、スライダ５８はネック２７を越えて移動することができず、閉鎖ストリップ５６は、ユーザが側面パネル５２に及ぼした力に応じ、スライダ５８を通ってスライドすることにより閉鎖される。ユーザが保持デバイス２０を通して袋５０を移動させ続けると、スライダ５８は最終的に閉鎖ストリップ５６の後端部に到達し、スライダ付き袋５０が完全に閉鎖される。スロット３０の少なくとも一部は閉鎖ストリップ５６の厚さよりも幅が狭いので、閉鎖ストリップ５６の少なくとも一部はスロット３０を画定する面によって支持される。
【００４５】
保持デバイス２０よりも長いスライダ付き袋５０に関しては、閉鎖ストリップ５６に、保持デバイス２０によって支持されない部分がある。この場合、スロット３０と、閉鎖ストリップ５６のスロット３０と直接的に接触する部分との干渉接触は、スライダ付き袋５０を完全に支持できる程度でなくてはならない。いずれにしても、スライダ５８及び閉鎖ストリップ５６が保持部材２３及び２４の遠位部３４によって支持されると同時に、側面パネル５２がスロット３０を通して自由に吊り下げられる。
【００４６】
このスライダ付き袋５０を開放すると共に保持デバイス２０から取り外すには、ユーザは、スライダ付き袋５０のスライダ５８付近の側にある側面パネル５２をつかみ、スライダ付き袋５０を上記挿入方向と反対方向ヘ移動させる。すると、スライダ５８のネック部２７に位置する端部と反対側の端部がプラットフォーム６２の維持部材２８と接触し、このとき維持部材２８がスライダ５８の継続移動を妨げる。ユーザがさらに力を加えると、閉鎖ストリップ５６は、静止状態となったスライダ５８を通過して開放される。閉鎖ストリップ５６が完全に開放されてしまえば（ただし、袋の開放中のいつでもよいし、袋の開放開始前でもよい）、スライダ付き袋５０を持ち上げて、スライダ５８を維持部材２８との干渉接触から脱して移動させることにより、スライダ５８がいずれの位置にある状態でも、スライダ付き袋５０全体を保持デバイス２０から容易に取り外すことができるのが好ましい。プラットフォーム６２がスライダ５８を介して袋５０の一端を支持することにより、ユーザは、袋５０の中身をこぼすことなく、自由に且つ容易にその中身に到達することができる。
【００４７】
図６及び図７は、維持部材２８の無い、本発明の別の実施形態を示している。この実施形態では、保持デバイス２０は、図１に示された実施形態のその他全ての態様を含むことにより、スライダ付き袋５０を閉鎖すると共に支持するのを促すことができるが、スライダ付き袋５０がこの保持デバイス２０から取り外されるときに、スライダ付き袋５０を開放するのを促さない。ユーザは、図１の保持デバイスに関して上述した方法と全く同じ方法で、スライダ付き袋５０を保持デバイス２０に挿入することによって、スライダ付き袋５０を閉鎖する。しかしながら、スライダ付き袋５０を保持デバイス２０から取り外すときには、ユーザは、スライダ５８及び閉鎖ストリップ５６を相対的に移動させることなく、単に挿入方向と反対方向に袋を保持デバイス２０からまっすぐに引き抜く。
【００４８】
次に、図１０〜図１２を参照すると、本発明のさらなる実施形態が示されている。保持デバイス１２０は、支持部材１２１、鏡像的保持部材１２３及び１２４、並びに、それぞれが垂直に延出するブロック若しくは壁部１３１の形態をした１つ以上のスライダ干渉部材を備える。保持部材１２３及び１２４はそれぞれ、近位部１３３、遠位部１３４、及び２つの端部１３５を有し、これらの保持部材１２３及び１２４は、それらの間にほぼ楕円形をしたチャネル１３６を画定している。保持部材１２３及び１２４の近位部１３３は、支持部材１２１に取り付けられており、遠位部１３４間において、チャネル１３６と通じるスロット１３０を画定している。このスロット１３０の幅は、両側面パネル５２を合わせた厚さよりも広いが、閉鎖ストリップ５６よりも狭い。チャネル１３６は、２つの第１部分１２５とこれらの間にある第２部分１２６とから構成され、この第２部分１２６は、スライダ・ブロック若しくは壁部１３１により部分的に画定されている。
【００４９】
図１２に示されている実施形態におけるスライダ・ブロック若しくは壁部１３１は、チャネル１３６の中央に位置している。このチャネル１３６は、スライダ５８を収容できる大きさであり、スライダ５８は、さらなる移動が抑制される地点であるスライダ・ブロック若しくは壁部１３１に接触するまでチャネル１３６内を移動することができる。図１２ａに示されているような別の実施形態では、スライダ・ブロック若しくは壁部１７１が、チャネル１３６のより大きな部分に広がっており、このスライダ・ブロック若しくは壁部１７１は、図示されているように、チャネル１３６の中央からずらして配置されてもよいし、スライダ・ブロック若しくは壁部１３１と同じ方式で中央に配置されてもよい。スライダ・ブロック若しくは壁部１３１の場合と同様に、このスライダ・ブロック若しくは壁部１７１は、閉鎖ストリップ５６が通過できるほど大きいが、スライダ５８が通過できないほど小さい寸法である、第２部分１２６を画定している。
【００５０】
図１２ｂ及び図１２ｃを参照すると、保持デバイスのさらなる実施形態が示されている。この実施形態では、チャネル１３６の幅は、それぞれが垂直に延出するブロック若しくは壁部１６０の形態をした１つ以上のスライダ干渉部材（ここでは、２つあるものとして示されている）がある部分を除いて、保持デバイスの全長にわたって一定である。これらの干渉部材１６０は、スライダ５８がこれらの干渉部材よりも遠くまでチャネル１３６内を進行するのを防ぐ一方で、同時に、閉鎖ストリップ５６がチャネル１３６の全長にわたって進行できるようにする。
【００５１】
図１２ｄは、干渉部材１６０と形状のみが異なる別の干渉部材１６２を示している。また、図１２ｂ及び図１２ｃに示されている離間させた二組の部材ではなく、所望に応じて、一組の干渉部材１６２を用いてもよい。
【００５２】
次に、図１３〜図１６を参照すると、本発明の別の実施形態が示されている。保持デバイス２２０は、支持部材２２１、並びに、鏡像的保持部材２２３及び２２４を備える。この支持部材２２１は、側部エッジ２４０及び端部エッジ２４２を含む。図１６に見られるように、この支持部材２２１は、それぞれ側部エッジ２４０及び端部エッジ２４２から保持部材２２３及び２２４と同じ方向に突出する、側部クリップ２４４及び端部クリップ２４６の形態をした支持手段若しくは部材をさらに含む。これらの側部クリップ２４４及び端部クリップ２４６は、冷蔵庫やクローゼットの棚システムに用いられるようなワイヤ・ラック・システム３００において、保持デバイス２２０を支持するのに用いられる。図１３〜図１５の実施形態は、保持デバイス２２０を支持するために別の手段が設けられていること以外は、図１６の実施形態と実質的に同一である。この実施形態では、支持面は、ねじ又は同種の留め具（図示せず）を用いて保持デバイス２２０をある面に固定するためのねじ穴２６０を含む。
【００５３】
図１３〜図１６の実施形態において、保持部材は、図１に示し且つ図１に関して説明したような設計と機能的には同じであるが、いくつかの追加機構を有する。具体的には、図１の実施形態と同様に、２つの鏡像的保持部材２２３及び２２４がチャネル２３６を画定し、保持部材２２３及び２２４の遠位部２３４がスロット２３０を画定している。このスロット２３０が、ねじ穴２６０の真下に設けられた２つのねじ隙間ボア２６２を有することによって、木ねじ又は同種の留め具（図示せず）を、保持部材２２３及び２２４間を通過させ、棚又は壁（図示せず）のような支持面内部に通すことができる。架橋部２６６が、支持部材２２１から、保持部材２２３及び２２４間をこれらに接触しながら、チャネル２３６内部へ延出している。これらの架橋部２６６は、保持デバイス２２０を補強している。さらに、保持部材２２３及び２２４は、保持デバイス２２０をさらに補強する外側支持リブ２６４を含む。第１部分２２５、第２部分２２６、及びネック２２７は、図１に示されている機能と同じ機能を果たす。
【００５４】
図１６の実施形態における側部クリップ２４４は、連続していてもよいし、連続していなくてもよい。また、これらの側部クリップ２４４は、一連の内向き周縁リップ若しくはその他の保持装置２８０を含んでいてもよい。これらのリップ若しくはその他の装置２８０は、ワイヤ・ラックのロッドを挟んで、保持デバイスをラックに固定する。保持デバイス２２０は、これらのクリップ２４４が、隣接したロッド間が最も予測される間隔であるワイヤ・ラックの２つの隣接したロッド２９０にちょうど嵌まって、リップ２８０が保持デバイス２２０の各側部におけるロッドを干渉することによって適所に保持されるような、寸法とされている。ロッド２９０間の間隔がより狭いラック・システムに関しては、ロッド２９０の一方を、保持デバイスの片側にあるリップ２８０の１つに係合させ、このロッドに隣接したロッド２９０を、保持部材２２４の近位部の側壁２７９にある少なくとも１つの窪み２７８を画定する壁部に係合させてもよい。また、端部クリップ２４６の１つで図示されているように端部ロッド２９２を挟むことによって、ユーザがスライダ付き袋５０を保持デバイスに挿入するときに保持デバイス２２０がロッド２９０に沿ってスライドしないように、保持デバイス２２０をしっかりと保持してもよい。
【００５５】
図１７に示されているようなさらなる実施形態の保持デバイス３２０では、第１部分３２５の長さがスライダ５８の長さよりも短くてもよい。この実施形態の使用中、スライダ５８は、第１部分３２５内部に完全には収まらないが、この第１部分３２５を画定している保持部材３２３及び３２４によってやはり適所に保持され、ネック３２７において第２部分３２６に入るのを阻止される。従って、この保持デバイス３２０は、スライダ付き袋５０が挿入されるときに、スライダ付き袋５０を閉鎖するように促す。この実施形態のその他全ての機構は、図１に示したものと同様である。
【００５６】
図１７ａに見られるような、この実施形態の変形例は、保持部材３２３及び３２４から凹部３３２内部に延出する、１つ以上のボス若しくはディテント３７０をさらに含む。これらのボス若しくはディテント３７０は、図１に示されているような維持部材２８に代わるものである。具体的には、ディテント３７０は、スライダ５８がこれらのディテント３７０間の空間に入ることができ、且つ、その後、スライダ付き袋５０が保持デバイス３２０から引き抜かれるときに、スライダ５８を適所に保持できる程度の摩擦抵抗をスライダの移動に対して与えることができるような距離だけ、互いに離間している。次に、図１７ｂを参照すると、先の図面に開示したスライダよりもむしろ、このような実施形態で用いられ得るスライダ５８は、スライダ５８の長さの一部に沿ってスライダ５８の幅を部分的に又は全体的に狭める溝５９を含むのが好ましい。ユーザは、スライダ５８を凹部３３２に挿入するとき、スライダ５８の先端がディテント３７０を通過するように圧力を加えなくてはならない。このスライダ５８の先端は、ディテント３７０を通過すると、ネック３２７を画定する面に接触して停止する。ユーザがスライダ付き袋５０を引っ張り続けると、閉鎖ストリップ５６は、袋が閉鎖位置に到達するまでスライダ５８を通過する。このとき、スライダ５８の溝５９は、（必ずしもというわけではないが、）ディテント３７０がスライダ５８と摩擦接触しないように配置されるのが好ましい。スライダ付き袋５０を保持デバイス３２０から取り外すには、ユーザは、このスライダ付き袋５０を挿入方向と反対方向に引っ張る。すると、スライダ５８は、ディテント３７０に接触して停止する。ユーザがこの袋を同じ方向に引っ張り続けると、閉鎖ストリップ５６は、袋が開放位置に到達するまでスライダ５８を通過する。その後、ユーザは、ディテント３７０を越えるようにスライダ５８を引っ張って、このスライダ付き袋を保持デバイス３２０から完全に取り外す。
【００５７】
前記説明から明らかであるが、ディテント３７０及びスライダ５８が有益に協働できるように、ディテント３７０はスライダの一部分若しくはそれ以上の部分に対して相補的な形状をしていてもよいし、ディテント３７０及びスライダ５８のうちの一方の設計を他方の形状に応じて選択してもよい。
【００５８】
次に、図１８、図１８ａ、及び図１８ｂを参照すると、本発明のさらなる実施形態が示されている。保持デバイス４２０は、支持部材４２１、並びに、保持部材４２３及び４２４を含む。これらの保持部材４２３及び４２４は、近位部４３３及び遠位部４３４をさらに含み、近位部４３２において支持部材４２１に取り付けられ、互いの間にチャネル４３６を形成している。このチャネル４３６は、少なくとも１つの端部において開放しており、スライダ付き袋５０のスライダ５８よりも大きな寸法とされている。このチャネル４３６は、保持部材４２３及び４２４の遠位部４３４により画定されチャネル４３６と通じるスロット４３０をさらに含み、このスロット４３０の幅は、スライダ５８よりも狭いが、両側面パネル５２を合わせた厚さよりも広い。また、保持部材４２３及び４２４は、少なくとも１つのブロック部材若しくは壁部４６８も含む。このブロック部材若しくは壁部４６８は、チャネル４３６内に設けられており、スライダ５８が進行するのを妨げる一方で、閉鎖ストリップ５６がこれらのブロック部材４６８を越えて又はこれらのブロック部材４６８間を進行できる寸法である。この実施形態では、２つのブロック部材４６８が、保持デバイスの各端部に１つずつ配置されて示されているが、別の実施形態では、チャネル４３６内の適切な地点に、ブロック部材４６８が１つのみ配置されていてもよい。
【００５９】
図２０〜図２３は、本発明のさらなる実施形態を示している。この実施形態では、開閉スライダ付き袋５０が、両面粘着テープ５３８によって棚若しくはその他の適切な面５０２に付着された保持デバイス５２０内にスライドされる。この保持デバイス５２０は、支持部材５２１から下方に延出する保持部材５２３及び５２４を有する。これらの保持部材５２３及び５２４は、スライダ５８を受容するための凹部５２５を画定している。また、この実施形態では、保持デバイスは、スライダ５８を保持することによりスライダ付き袋５０を支持する保持部材５２３及び５２４の一方又は両方によって、１つ以上のフランジ５６８の形態をした干渉部材が保持されている。また、スライダ付き袋をさらに適所に保持するために、保持デバイスは、これらのフランジ５６８の一方の又は両方の端部において、１つ以上の維持部材５２８が保持されていてもよい。図示されている実施形態では、これらの維持部材５２８は、直立型の突起から構成されており、閉鎖状態のスライダ付き袋５０のスライダ５８を、維持部材５２８を越えて凹部５２５に挿入してこれらの維持部材５２８の間に保持できるような、大きさ及び間隔とされている。維持部材５２８は、スライダ５８が、これらの維持部材５２８より上に持ち上げられるまで、凹部５２５から外れるのを防止する。
【００６０】
所望に応じ、任意の端壁（図示せず）を保持デバイス５２０の一端に設けることによって、スライダ５８が、挿入中又は挿入後に、この一端から外れるのを防止してもよい。後壁は単に、スライダがこの一端において保持デバイス５２０から抜けてしまうのを防止するためのものであるため、スライダが進行するのを妨げる部材であれば、どのようなブロック若しくはバリア部材を用いてもよい。前記説明から明らかであるが、図２０〜図２３の実施形態は、スライダ５８を支持することにより袋５０を支持している。
【００６１】
図３９及び図４０には、図２０〜図２３の実施形態に類似した実施形態が示されている。この実施形態では、（必ずしもというわけではないが）互いに平行であるのが好ましい一連のチャネル５５０が、水平方向に対して一定角度を成して、保持デバイス５５２を通っている。これらのチャネル５５０はそれぞれ、第１部分５２５及び第２部分５２６を有する。第１部分５２５は、スライダ５８を収容できる大きさである。一実施形態では、第２部分５２６はこの第１部分５２５よりも幅が狭く、これにより、スライダ５８が第１部分５２５内に維持される。或いは、他の実施形態で示された干渉部材に類似した干渉部材が、これらの第１部分と第２部分とを区分してもよい。この保持デバイス５５０は、平行なチャネル５５２をいくつ含んでいてもよい。さらに、この保持デバイス５５０は、図示されているように、又は、本明細書中で説明したその他の取り付け方法のいずれかにより、棚５６０の一端をスロット５５８に挿入することによって、棚５６０に取り付けることができる。本明細書中に開示した他の実施形態に関して説明したように、この保持デバイス５５０を用いることによって、スライダ５８を介してスライダ付き袋５０を閉鎖及び支持することができる。
【００６２】
図３９及び図４０の実施形態には、袋の中に収容された物の重量が袋の閉鎖を促すのに役立つ、という利点がある。これにより、身体障害を持たない人も、手先の不器用な人も、袋を容易に使用することができる。もう１つの利点は、袋を完全に閉鎖する前に手放すと、袋が自然に閉鎖しようとする点である。従って、ユーザは、スライダを完全な閉鎖位置に移動させたかどうか疑わしい場合でも、袋が完全に閉鎖されていることをある程度確信できる。
【００６３】
図２４〜図２９には、本発明の保持デバイスのさらなる３つの実施形態が示されている。これらの実施形態では、保持デバイスは閉鎖専用デバイスであり、これらの保持デバイスを用いて、スライダ付き袋を閉鎖及び支持することはできるが、スライダ付き袋の開放を促すことはできない。図２４〜図２９に示されている保持デバイスはそれぞれ、支持部材６２１と、それから下方に延出する保持部材６２３及び６２４とを有する。図２４〜図２７に示されている保持デバイスでは、保持部材６２３及び６２４によって形成されるチャネル６３６の断面は、このチャネル６３６の全長に沿って均一である。保持部材６２３及び６２４の遠位部６３４は、スロット６３０を画定しており、このスロット６３０の寸法及び特性は、前述した他の保持デバイスにおけるスロットのものと同様である。チャネル６３６の各端部には、１つ以上の干渉部材６２７が設けられている。図２４〜図２７に示されている実施形態では、この干渉部材６２７は、保持部材６２３及び６２４の端部を構成している。前記実施形態に示されているように、この干渉部材は、いくつかの異なる形状をしていてもよいし、保持デバイスの端部のみにおいてチャネル６３６を狭める突起から構成されていてもよい。前記実施形態と同様に、干渉部材６２７は、スライダ５８が保持デバイスに沿って進行するのを阻止すると同時に、閉鎖ストリップ５６が保持デバイスを通って通過若しくは進行できるようにする。
【００６４】
図２８及び図２９の両方では、保持デバイスは第１部分６２５を有する。しかしながら、図２８では、第１部分６２５は、スロット６３０に最も近接した１つの面６８８により境界が決められている。図２９では、第１部分６２５は、面６８８及び６８９により２つの側面で境界が決められている。面６８８は、ガセット若しくはウェブ６９０の形態をした任意の補強部材によって補強されてもよい。
【００６５】
図３０〜図３３は、クリップ若しくは変形端部７６０の形態をした１つ以上の突出型エンド・ストップを含む特定のスライダ付き袋を支持する、スライダ付き袋用の保持デバイスを示している。この保持デバイスは、粘着ストリップ７３８によってあらゆる所望の支持面に固定される支持部材７２１と、凹部７９４を画定する保持部材７２３及び７２４とを含む。この凹部７９４は、突出型エンド・ストップ７６０を受容できる大きさであると共に、スロット７９２と通じている。このスロット７９２の幅は、閉鎖ストリップ５６と袋の側面パネル５２との両方が通過できるが、突出型エンド・ストップ７６０は通過できないような大きさである。保持部材７２３及び７２４の遠位部７３４はそれぞれ、突出型エンド・ストップ７６０を支持するレッジ若しくはフランジ７９６の形態をした干渉部材を有し、これらのレッジ７９６はそれぞれ、保持デバイスの開放端部に直立型の突出部若しくは突起７９８を含む。突起７９８は、エンド・ストップ７６０を、これらの突起７９８を越えて凹部７９４に挿入できる一方で、このエンド・ストップ７６０を適所に保持して保持デバイスから不意に外れるのを阻止するような大きさとされている。この保持デバイスは、後壁７７０を含み、この後壁７７０は、この方向において突出型エンド・ストップ７６０及び袋が保持デバイスから抜け出るのを阻止する。前記説明から明らかであるように、図３０〜図３３に示されている保持デバイスは、エンド・ストップ７６０を介して袋を支持する。
【００６６】
図３４及び図３５は、図２４〜図２９に示されている保持デバイスに類似した保持デバイスを示している。この実施形態では、チャネル６３６は、突出型エンド・ストップ６６０は保持デバイスを通過することができるが、スライダ５８は保持デバイスを通過することができないような大きさとされている。また、図３４は、この保持デバイス用の別の取り付けデバイスとして、ハンガー６９９を示している。図３５は、この保持デバイスが、スライダ５８が閉鎖位置にある状態で、スライダ付き袋を閉鎖ストリップ５６で保持しているところを示している。
【００６７】
別の内側構造が、図４１に示されている。この実施形態では、チャネル６５０の長さが、支持される袋の長さよりも長い。また、このチャネル６５０は、最も標準的な大きさのスライダ付き袋５０と少なくとも同じ長さである凹部６５２も含む。スライダ付き袋５０がチャネル６５０に挿入され、このスライダ付き袋５０の頂部全体がチャネル６５０内に収められる。凹部６５２の深さは、保持部材６２３及び６２４の遠位部６３４によって形成されたスロット６３０がスライダ５８及び閉鎖ストリップ５６を支持できるような深さである。この凹部６５２を画定する１つ以上の壁部は、ロック部材としての機能も果たすことができると共に、スライダ５８を閉鎖ストリップ５６の頂部に沿って動かすことができるように、スライダ５８の取り外しに対し抵抗を与えることができ、スライダ付き袋５０が凹部６５２から外されると、スライダ付き袋５０は開放される。
【００６８】
図３６及び図３７は、スライダ付き袋用の保持デバイスのさらなる実施形態を示しており、この保持デバイスは、中心からずれた軸８１２の周囲を回転する２つの類似したカム８１０を用いてスライダ付き袋５０を保持する。カム８１０は、ロッド８１４又は同種のシャフトによって支持されており、このロッド８１４の周囲を回転することができる。図示されているように、ロッド８１４がカム８１０を通過することにより、カム８１０は偏心的に回転する。これらのロッド８１４は、支持部材８２１に取り付けられ、次に、この支持部材８２１は、あらゆる適切な若しくは所望の面に取り付けることができる。また、カム８１０の断面形状は、カム８１０がロッド８１４の周囲を回転すると、２つのカムが一緒になって、スライダ付き袋５０に対し圧力を追加するような形状とされている。所望に応じて、カム８１０はばね付勢してもよい。壁面、閉鎖ストリップ５６、及びスライダ５８を含む袋の一部分又はそれ以上の部分に対するカム８１０の作用は、スライダ付き袋５０を支持する機能を果たす。
【００６９】
この袋５０を図３６及び図３７の保持デバイスから取り外すには、カム８１０の一方又は両方を逆回転させることによって外す。この逆回転は、ユーザがカム８１０の一方又は両方を手で動かすことによって行うことができる。或いは、ユーザがこの袋５０を図３６及び図３７に見られるように上方に動かすと同時に、カム８１０から解放される位置へ外側に移動させることによって、この袋５０を取り外してもよい。
【００７０】
図３８は、３つの支持ロッド９５０が支持部材９２１に取り付けられている、本発明のさらなる実施形態を示している。これらのロッド９５０は、円柱形であるが、断面は平らな側部を１つ備える半円形をしている。ロッド９５０とロッド９５０との隙間はスロット９３０を形成しており、このスロット９３０に、２つの隣接したロッド９５０の平面付近のスロット９３０の下方にスライダ５８及び／又は閉鎖ストリップ５６が位置するように、スライダ付き袋５０を挿入することができる。袋５０の両壁面は、隣接したさらなるロッドが無い終端ロッド９５２の場合を除き、ロッド９５０のうちの１つを越えて、隣接した組のロッド９５０間のスロット９３０を通る。従って、袋５０の中に収容された物は、ロッド９５０の下方に都合良く位置付けられる。物が入っているこれらの袋５０は、ロッド９５０の軸方向に沿って引っ張ることにより、ロッド９５０から容易に取り外される。
【００７１】
次に、図１９を参照すると、本発明の別の実施形態が示されている。この実施形態では、保持デバイス１０２０を支持する手段は、２つの吊り下げクリップ１０７２から構成されており、これらの吊り下げクリップ１０７２によって、ワイヤ・ラックのロッドやコート・ハンガーなど（図示せず）のような支持構造から保持デバイス１０２０を吊り下げることができる。これらの吊り下げクリップ１０７２は、保持デバイス１０２０の頂部内に成型されているものとして示されているが、当業者に知られている別のクリップ・デバイスを、これらのクリップ１０７２と置き換えて、保持デバイス１０２０の頂面又はその他の面にあらゆる適切な方式で固定してもよい。このような別のクリップは、保持デバイス１０２０に対し、固定して取り付けてもよいし、回転可能に取り付けてもよい。さらに、図１９に示されている実施形態では、保持部材１０２３及び１０２４の近位部１０３３が、支持部材１０２１の端部と一体化している。保持部材１０２３及び１０２４の側面が平らであることにより、粘着ストリップを別の位置に設けることができ、この粘着ストリップを用いて、垂直な壁のような支持面に保持デバイス１０２０を取り付けてもよい。
【００７２】
図４２は、複数の保持デバイスを組み込んだ、本発明のさらなる実施形態を示しており、これらの保持デバイスは、互いに固定されるか一体式に形成されて、一体型構造となっている。この実施形態では、保持デバイス１１２０は、１つの支持部材１１２１によって３つの保持サブストラクチャ１１４４が保持されている。図示されている実施形態では、これらのサブストラクチャ１１４４はそれぞれ、図１〜図４に関して上述した形状とほぼ同じ形状をしているが、本願で図示及び説明した形態のいずれを用いてもよい。各サブストラクチャ１１４４は、支持部材１１２１の第１側面１１２２から下方に延出する鏡像的保持部材１１２３及び１１２４を有する。これらの保持部材１１２３及び１１２４はそれぞれ、近位部１１３３、遠位部１１３４、及び２つの端部１１３５を有する。保持部材１１２３及び１１２４の各組は、それらの間にチャネル１１３６を画定している。各チャネル１１３６は、保持部材１１２３及び１１２４の遠位部１１３４によって画定されるスロット１１３０を含む。また、各チャネル１１３６は、２つの第１部分１１２５と、２つのネック１１２７によって区分された１つの第２部分（図示されていないが、上記第２部分２６と同じ）とを有する。また、各サブストラクチャ１１４４は、各端部１１３５に２つの維持部材１１２８も含む。支持部材１１２１は、複数の固定穴１１３７も含んでおり、ユーザは、ねじ又は釘（図示せず）のような留め具を用い、これらの固定穴１１３７を通して、保持デバイス１１２０を所望の面（図示せず）に取り付けることができる。
【００７３】
使用中、ユーザは、チャネル１１３６のうちの１つ以上に、１つ以上のスライダタイプの袋を上記方式で挿入することができ、これにより、袋が保持デバイス１１２０によって支持される。その後、袋のスライダは、維持部材１１２８と接触することにより大きな動きが抑制され、各袋は、保持デバイス１１２０と相対的に動かされるだけで容易に開放され得る。ユーザは、袋の中身に到達した後、この袋を逆方向に動かすだけで、スライダを一方の端部１１３５に係合させて、この袋を閉鎖することができる。
【００７４】
図４３〜図４６は、図２４〜図２７の保持デバイス６２１と共に、それぞれ、ヘフティ・ワンジップ（登録商標）の袋１２００、グラッド（登録商標）・クリックロックの袋１２０２、プレスト（登録商標）・シュアシールの袋１２０４、プライアント社によって製造されたスライダタイプの袋１２０６を示している。保持デバイスの様々な部材が、本明細書中に記載した袋構造のうちの１つ以上と協働してその袋を支持するような寸法とされていれば、上記のように、このような袋のいずれを、本明細書中に開示した実施形態のいずれと共に用いてもよい。
【００７５】
さらに、正確な用途やスライダ付き袋によって保持される物のタイプに応じて、１つ以上の単一型又は一体型の保持デバイスを、各保持デバイスが水平面又は非水平面に位置するように、壁又はその他の垂直面に取り付けてもよい。例えば、図４７に見られるように、複数の保持デバイス１２１０ａ、１２１０ｂ、及び１２１０ｃ（それぞれ、本明細書中に開示した実施形態のうちの１つと類似又は同一）が、両面テープのようなあらゆる適切な手段によって、垂直支持面１２１２上に水平な配列で取り付けられる。この例では、スライダ付き袋１２１４は、上記と同様に保持デバイス１２１０ａによって保持されるが、保持デバイスからまっすぐ下方に吊り下げられるのではなく、スライダ付き袋の両側面パネルが重なって保持部材の一方の遠位部上に載る。同様にして、別の袋（例えば、破線で示されている袋１２１６）を保持デバイス１２１０ｂ及び１２１０ｃによって保持して、これらの袋を屋根板状態に重ねてもよい。
【００７６】
次に、図４８を参照すると、本発明の別の実施形態が示されている。この実施形態では、支持部材１３２１は冷蔵庫の棚であり、保持デバイス１３２０は支持部材１３２１の一体型部品である。保持部材１３２３及び１３２４は、支持部材１３２１の第１側面１３２２から延出しており、その他の点では、形状及び作用において、図１に関して説明した保持部材と同一である。これは、当然、本発明を一体化させることのできる棚のタイプの単なる一例である。この実施形態は、上記と全く同じ方法で、食料庫、クローゼット、又はキャビネットの棚に組み込んでもよいし、吊り下げ式キャビネットの下側に設けてもよい。
【００７７】
次に、図４９〜図５２を参照すると、本発明のさらなる実施形態が示されている。これらの実施形態は、第１部分１４２５が袋５０のスライダ５８全体を受容して包含できる大きさであること以外は、図３９及び図４０に示されている実施形態と類似している。さらに、第１保持部材１４２３及び第２保持部材１４２４は、口１４３２において、図４に関して説明した維持部材に類似した維持部材１４２８を有する。図４９〜図５１に示されている実施形態では、保持デバイス１４２０は、第１保持部材１４２３及び第２保持部材１４２４に平行で且つ第１保持部材１４２３に取り付けられた支持部材１４２１を含む。図４９に示されている実施形態では、この取り付けは、支持部材１４２１を第１保持部材１４２３に結合する第１架橋部材１４４７によって為される。当然のことながら、この取り付けは、第１保持部材１４２３のいずれの地点において為されてもよい。別の実施形態では、例えば図５１に示されているように、支持面１４２１が単に第１保持部材１４２３と一体化していてもよい。次に、これらの第１保持部材及び第２保持部材は、図５０に示されているように、第２架橋部材１４４９によって結合されている。さらに、図５２に見られるように、この取り付けは、図１に関して説明したように、保持部材１４２３と保持部材１４２４との両方に対して為されてもよい。
【００７８】
図４９において、保持デバイス１４２０には、磁石１４５１が、接着剤又はその他の既知の付着手段によって、支持部材１４２１の保持部材１４２３及び１４２４とは反対側の側面１４４２に付着されている。次に、この磁石１４５１は、冷蔵庫又はその他の金属面に付着させることができる。図５１に示されている実施形態は、支持部材１４２１において、固定穴若しくはスロット１４３７ａ及び１４３７ｂを用いている。ユーザは、留め具１４３９のシャンクを、これらの固定穴若しくはスロット１４３７ａ及び１４３７ｂを介して、保持デバイス１４２０を固定する面に打ち込むことができる。保持部材１４２３及び１４２４はそれぞれ、ユーザが固定スロット若しくはスロット１４３７ａに到達できるようにする切欠き部１４５３を有する。必ずしもというわけではないが、図４９及び図５０に示されている両方の実施形態では、それぞれ磁石１４５１或いは留め具１４３９によって保持デバイス１４２０が固定されると、袋（図示せず）が保持デバイス１４２０に挿入されることによって、保持デバイス１４２０が固定される面に平行に袋の壁面が吊り下げられるのが好ましい。図４９ａはさらに、支持部材１４２１が第１平面１４６７に位置していることを示している。袋（図示せず）が保持デバイス１４２０に挿入されて支持されると、袋の壁面は、第１平面１４６７に平行な第２平面１４６９に位置する。別の言い方をすると、この第２平面１４６９は、保持デバイス１４２０のチャネル１４３６及びスロット１４３０により画定されると共に、第１平面１４６７に平行である。
【００７９】
図５２には、図４９及び図５１に示された保持部材に類似した３組の保持部材１４２３及び１４２４を有すると共に、３つの袋を保持することのできる保持デバイス１４２０が示されている。この保持デバイス１４２０は、支持部材１４２１における固定スロット若しくは穴１４３７を介して、ある面に打ち込まれた留め具１４３９によって固定される。図１に関して説明した保持デバイスと同様に、保持部材１４２３及び１４２４の組はそれぞれ、スロット１４３０を画定する遠位端部１４３４を有する。図５２ａに見られるように、このスロットは、線１４７３を画定する長さ範囲を有する。支持部材１４２１は、線１４７３を横断する平面１４６７を画定する。
【００８０】
図４９〜図５２に示されている実施形態には、図３９及び図４０の実施形態の全ての利点に加えて、袋が維持部材１４２８の方向に動かされるときに、ユーザがこの袋５０を開放するのを促す一方で、袋５０のスライダ５８がこの干渉部材１４２８と干渉することにより第１部分１４２５内に保持される、という利点がある。これは、手先の不器用な人に対し、さらにいっそう役立つ。
【００８１】
図５３には、さらに別の実施形態が示されている。保持デバイス１５２０は、支持部材１５２１が冷蔵庫、キャビネット、食料庫、クローゼットなどの棚１５５５の側部から吊り下げるように構成されていること以外は、図１の保持デバイス２０と同様である。この支持部材１５２１は、第１部分１５５７及び第２部分１５５９を含む。保持部材１５２３及び１５２４は、第１部分１５５７の一方の端部における又はその付近における第１側面１５２２から延出している。また、第２部分１５５９は、第１部分１５５７の保持部材１５２３及び１５２４とは反対側の端部における又はその付近における第１側面１５２２から延出している。使用中、第２部分１５５９は棚１５５５の上に載置され、第１部分１５５７並びに保持部材１５２３及び１５２４は棚１５５５の下方に延出する。第１部分１５５７の保持部材１５２３及び１５２４とは反対側の側面１５４２は、冷蔵庫、キャビネット、食料庫、クローゼットなどの側壁１５６１に接触する。袋５０は、上記実施形態のいずれかに関して述べた方式で保持部材１５２３及び１５２４から吊り下げられ、保持デバイス１５２０から下方に側壁１５６に沿って延びる。この実施形態により、冷蔵庫、キャビネット、食料庫、クローゼットなどで従来あまり利用されなかった空間を効率的に使用することができる。
【産業上の利用可能性】
【００８２】
本明細書中に開示した各実施形態において、ビニール袋のスライダを移動させる方法は、前記スライダを保持デバイスと接触させるステップと、前記ビニール袋に対し第１の力を第１方向に加えるステップと、前記ビニール袋が前記保持デバイス及び前記スライダと相対的に移動するように、前記保持デバイスに対し第２の力を第２方向に加えるステップとを含む。第１の力は、ユーザの手によって加えられてもよいし、別の力伝達部材によって加えられてもよい。第２の力はユーザの手によって及ぼされてもよいし、或いは、保持デバイスが静止又は可動オブジェクトに固定されていてもよい。後者の場合、第２の力は、このオブジェクトによって及ぼされる抵抗力又は固着力から構成され得る。
【００８３】
明らかであるように、単一型又は複数一体型の保持デバイスを用いてもよく、これらの保持デバイスは、袋が、並列、重ね合わせ（即ち、屋根板構造）、及び縦列（即ち、一方の袋が他方の袋の上方に接触せずに配置される構造）を含む、所望の配列で維持されるように、ユーザが望むあらゆる構造及び／又は向きで、垂直支持面、水平支持面、又は水平でも垂直でもない支持面に固定される。
【００８４】
本発明の保持デバイスは、プラスチック、ガラス、金属、木、及び同種の物質のような、ほぼあらゆる剛性材料から構成されてもよい。構成材料の重要な特性は、比較的剛性であり、安価であり、容易に所望の形状に成形することができるという特性だけである。適切なプラスチック材料としては、ポリプロピレン、ポリエチレン、スチレン、ナイロン、並びに、様々なその他同種のホモポリマー及びコポリマー材料が挙げられる。一般的には、保持デバイスは単一部品として成型されるが、本発明から逸脱しない限り、複数部品構造を用いてもよい。これらのデバイスを成形するには、射出成形及び熱成形を含むあらゆる適切な成型法を用いてもよい。さらに、これらの保持デバイスは、複数の部品で成形して、製造及び組み立ての際に嵌合又はプレス嵌めしてもよい。別のよく知られている製造方法では、成型部品の薄い領域の可撓性を利用して、１つの平坦な成型部品を折り曲げて嵌め合わせ、図示されているような立体的な保持デバイスにする。
【００８５】
本発明を、閉鎖ストリップ、エンド・ストップ、又はスライダを介して袋を支持するものとして説明してきたが、当然のことながら、スライダ付き袋５６の、両壁面若しくは両側面パネル５２を合わせた厚さよりも幅が広いその他の部分を介して、袋を支持してもよい。このような部分としては、様々なタイプのリブ若しくはレールが挙げられ、これらのリブ若しくはレールは、閉鎖ストリップの延長部に追加してもよいし、スライダ付き袋の側面パネル５２の少なくとも１つに追加してもよい。この構造の一例として、図２７に示されているレール６６０があり、これらのレール６６０は、スライダ５８を閉鎖ストリップ５６上に維持する。このような構造は、閉鎖ストリップとスライダ付き袋の底部との間に位置するのが一般的であるが、閉鎖ストリップと袋の頂部との間に設けてもよい。また、袋は、閉鎖ストリップ、エンド・ストップ、スライダ、又は別の部分のうちの１つによって支持されるのではなく、所望に応じて、これらの構造を組み合わせたものを介して支持されてもよい。つまり、ホルダは複数の干渉部を含んでいてもよく、これらの干渉部が袋の上記複数部分を同時に干渉し、袋の複数部分がこれらの干渉部上に載ることによって、袋が支持される。
【００８６】
上記実施形態によって、ユーザは、家庭での様々な収容問題を解決することができる。まず、このような保持デバイスによって、ユーザは、再閉鎖可能な袋を保管して整理し、得られる収容空間を完全に利用することができる。本発明により、ユーザは、例えば、冷蔵庫、クローゼット、食料庫などにおいて、棚の下側から袋を吊り下げることができるため、棚の表面空間は他の物を収容するのに用いることができる。また、このようなタイプの保持デバイスを用いることにより、確実に袋がはっきり見えると共に常に同じ位置にあるため、生鮮食品を腐敗する前に用いる可能性が高くなる。
【００８７】
本発明の別の利点は、使用している袋を確実に完全密閉することができるという点である。ある実施形態では、スライダが適所に保持されつつ、袋が保持デバイス内にスライドされるので、ユーザは、確実に袋を完全密閉して、中身を袋の中に安全に且つ確実に維持することができる。この利点は、周囲の環境から密閉されれば、袋の中の食品がより長く新鮮に保たれるので、食品の保管に特に有用である。また、このようなタイプの保持デバイスを用いることにより、手先の不器用なユーザがより容易に再閉鎖可能な袋を使用することができる、という利点がもたらされる。
【００８８】
前記説明を考慮すれば、当業者には、本発明に対する多数の変形例が明らかであろう。従って、この説明は、単に例示的なものとして見なされると共に、当業者が本発明を発明して使用し且つ本発明を実施する最良の形態を教示できるようにする目的で提示される。添付の特許請求の範囲内に含まれる全ての変形例に対する独占権は留保される。
【図面の簡単な説明】
【００８９】
【図１】スライダ付き袋が閉鎖位置となるように挿入される両方向保持デバイスの等角図である。
【図２】図１の保持デバイスの底面図である。
【図３】図１の保持デバイスの端面図である。
【図３ａ】図１の保持デバイスの、ほぼ線３ａ−３ａに沿って見た断面図である。
【図３ｂ】図１の保持デバイスの、ほぼ線３ｂ−３ｂに沿って見た断面図である。
【図４】図１の保持デバイスの、ほぼ線４−４に沿って見た断面図である。
【図５】スライダ付き袋が閉鎖位置となるように挿入された単方向保持デバイスの等角図である。
【図５ａ】図５に類似した本発明による保持デバイスのさらなる実施形態の、底面及び左後ろ側から見た等角図である。
【図５ｂ】図５ａの実施形態の、頂面及び右後ろ側から見た等角図である。
【図５ｃ】図５ａ及び図５ｂの保持デバイスの平面図である。
【図５ｄ】図５ａ及び図５ｂの保持デバイスの底面図である。
【図５ｅ】図５ａの保持デバイスの端面図である。
【図５ｆ】図５ｅに示された保持デバイスの端面図と反対側の端面図である。
【図５ｇ】図５の保持デバイスの、ほぼ線５ｇ−５ｇに沿って見た断面図である。
【図６】図４と類似しているが、維持部材の無い図である。
【図７】図６の保持デバイスの端面図である。
【図８】スライダ付き袋が挿入された、図６の保持デバイスの端面図である。
【図９】スライダ付き袋が部分的に挿入された、図４に類似した図である。
【図１０】本発明のさらなる実施形態の底面図である。
【図１１】図１０の保持デバイスの端面図である。
【図１２】図１０の保持デバイスの、ほぼ線１２−１２に沿って見た断面図である。
【図１２ａ】図１２に類似した、保持デバイスの別の実施形態を示す図である。
【図１２ｂ】図１２に類似した、保持デバイスの別の実施形態を示す図である。
【図１２ｃ】図１２ｂの保持デバイスの、ほぼ線１２ｃ−１２ｃに沿って見た断面図である。
【図１２ｄ】図１２ｃに類似した、別の形状の干渉部材を示す図である。
【図１３】保持デバイスのさらなる実施形態の平面図である。
【図１４】図１３の保持デバイスの底面図である。
【図１５】図１４の保持デバイスの、ほぼ線１５−１５に沿って見た断面図である。
【図１６】ラック式収容システムにおける図１３の保持デバイスの斜視図である。
【図１７】第１部分がスライダよりも短い、図７の保持デバイスのさらなる実施形態の正面図である。
【図１７ａ】ディテントを含む、図１７の保持デバイスの端面図である。
【図１７ｂ】図１７ａの保持デバイスの、ほぼ線１７ｂ−１７ｂに沿って見た断面図である。
【図１８】本発明のさらなる実施形態の平面図である。
【図１８ａ】請求項１８の保持デバイスの底面図である。
【図１８ｂ】請求項１８の保持デバイスの端面図である。
【図１９】吊り下げクリップが支持部材に取り付けられた、本発明の保持デバイスの等角図である。
【図２０】本発明のさらなる実施形態の等角図である。
【図２１】図２０の保持デバイスの端面図である。
【図２２】図２０の保持デバイスの側面図であり、保持デバイスにスライダ付き袋が挿入されている状態を示している。
【図２３】図２２のほぼ線２３−２３に沿って見た断面図である。
【図２４】本発明のさらなる実施形態の等角図であり、保持デバイスにスライダ付き袋を挿入しようとしている状態を示している。
【図２５】図２４の保持デバイスの等角図であり、保持デバイスにスライダ付き袋が挿入されて部分的に閉鎖された状態を示している。
【図２６】図２５の部分拡大図であり、保持デバイスにスライダ付き袋が挿入されて部分的に閉鎖された状態を詳細に示している。
【図２７】図２５のほぼ線２３−２３に沿って見た略断面図である。
【図２８】本発明のさらなる実施形態の等角図である。
【図２９】本発明の別の実施形態の等角図である。
【図３０】本発明のさらに別の実施形態の等角図である。
【図３１】図３０の保持デバイスの底面図である。
【図３２】図３１の保持デバイスの、ほぼ線３２−３２に沿って見た断面図である。
【図３３】図３１に類似した、スライダ付き袋が支持されている状態を示す図である。
【図３４】本発明のさらなる実施形態の等角図である。
【図３５】図３４の保持デバイスの、ほぼ線３５−３５に沿って見た断面図であり、スライダ付き袋が支持されている状態を示している。
【図３６】本発明のさらなる実施形態の等角図であり、スライダ付き袋が支持されている状態を示している。
【図３７】図３６の保持デバイスの、ほぼ線３７−３７に沿って見た断面図である。
【図３８】本発明のさらなる実施形態の等角図である。
【図３９】本発明のさらに別の実施形態の等角図である。
【図４０】図３９の保持デバイスの、ほぼ線４０−４０に沿って見た部分断面立面図である。
【図４１】図３５に類似した、別の実施形態を示す図である。
【図４２】本発明のさらに別の実施形態の等角図である。
【図４３】図２４〜図２７の実施形態、並びに、様々な企業により製造及び／又は販売されているスライダタイプの袋の等角図である。
【図４４】図２４〜図２７の実施形態、並びに、様々な企業により製造及び／又は販売されているスライダタイプの袋の等角図である。
【図４５】図２４〜図２７の実施形態、並びに、様々な企業により製造及び／又は販売されているスライダタイプの袋の等角図である。
【図４６】図２４〜図２７の実施形態、並びに、様々な企業により製造及び／又は販売されているスライダタイプの袋の等角図である。
【図４７】垂直支持面上に水平方向に配列された、本発明による複数の保持デバイスの正面図である。
【図４８】支持面が冷蔵庫の棚から成る、本発明のさらなる実施形態の等角図である。
【図４９】本発明のさらなる実施形態の等角図である。
【図４９ａ】図４９の保持デバイスの端面図である。
【図５０】図４９の保持デバイスの、ほぼ線５０−５０に沿って見た側面図である。
【図５１】図４９に示された保持デバイスに類似しているが、ある面に取り付けるためのねじ穴を有する保持デバイスの等角図である。
【図５２】本発明のさらに別の実施形態の等角図である。
【図５２ａ】図５２の保持デバイスの側面図である。
【図５３】本発明のさらなる実施形態の正面図である。
【図１】
2005522288.tif 000003
【図２】
2005522288.tif 000004
【図３】
2005522288.tif 000005
【図３ａ】
2005522288.tif 000006
【図３ｂ】
2005522288.tif 000007
【図４】
2005522288.tif 000008
【図５】
2005522288.tif 000009
【図５ａ】
2005522288.tif 000010
【図５ｂ】
2005522288.tif 000011
【図５ｃ】
2005522288.tif 000012
【図５ｄ】
2005522288.tif 000013
【図５ｅ】
2005522288.tif 000014
【図５ｆ】
2005522288.tif 000015
【図５ｇ】
2005522288.tif 000016
【図６】
2005522288.tif 000017
【図７】
2005522288.tif 000018
【図８】
2005522288.tif 000019
【図９】
2005522288.tif 000020
【図１０】
2005522288.tif 000021
【図１１】
2005522288.tif 000022
【図１２】
2005522288.tif 000023
【図１２ａ】
2005522288.tif 000024
【図１２ｂ】
2005522288.tif 000025
【図１２ｃ】
2005522288.tif 000026
【図１２ｄ】
2005522288.tif 000027
【図１３】
2005522288.tif 000028
【図１４】
2005522288.tif 000029
【図１５】
2005522288.tif 000030
【図１６】
2005522288.tif 000031
【図１７】
2005522288.tif 000032
【図１７ａ】
2005522288.tif 000033
【図１７ｂ】
2005522288.tif 000034
【図１８】
2005522288.tif 000035
【図１８Ａ】
2005522288.tif 000036
【図１８Ｂ】
2005522288.tif 000037
【図１９】
2005522288.tif 000038
【図２０】
2005522288.tif 000039
【図２１】
2005522288.tif 000040
【図２２】
2005522288.tif 000041
【図２３】
2005522288.tif 000042
【図２４】
2005522288.tif 000043
【図２５】
2005522288.tif 000044
【図２６】
2005522288.tif 000045
【図２７】
2005522288.tif 000046
【図２８】
2005522288.tif 000047
【図２９】
2005522288.tif 000048
【図３０】
2005522288.tif 000049
【図３１】
2005522288.tif 000050
【図３２】
2005522288.tif 000051
【図３３】
2005522288.tif 000052
【図３４】
2005522288.tif 000053
【図３５】
2005522288.tif 000054
【図３６】
2005522288.tif 000055
【図３７】
2005522288.tif 000056
【図３８】
2005522288.tif 000057
【図３９】
2005522288.tif 000058
【図４０】
2005522288.tif 000059
【図４１】
2005522288.tif 000060
【図４２】
2005522288.tif 000061
【図４３】
2005522288.tif 000062
【図４４】
2005522288.tif 000063
【図４５】
2005522288.tif 000064
【図４６】
2005522288.tif 000065
【図４７】
2005522288.tif 000066
【図４８】
2005522288.tif 000067
【図４９】
2005522288.tif 000068
【図４９ａ】
2005522288.tif 000069
【図５０】
2005522288.tif 000070
【図５１】
2005522288.tif 000071
【図５２】
2005522288.tif 000072
【図５２ａ】
2005522288.tif 000073
【図５３】
2005522288.tif 000074
【国際調査報告】
2005522288.tif 000075
2005522288.tif 000076
2005522288.tif 000077
2005522288.tif 000078